(57)【特許請求の範囲】
【請求項１】
本体に設けた第１の支軸を中心に揺動自在な開閉部材と、
本体に設けた第２の支軸を中心に揺動自在であって、前記第２の支軸と開閉部材との間に連結され、前記開閉部材の開き動作に伴いシリンダからピストンが引き出されて前記開閉部材に抵抗力を付与するダンパ部材と、を含む開閉装置において、
前記ダンパ部材に対して開閉部材の開き動作に伴う揺動方向とは逆向きの抵抗モーメントを付与する付勢手段を設けたことを特徴とする開閉装置。
【請求項２】
開閉部材の開き動作に応じたダンパ部材の揺動に伴い、前記付勢手段による抵抗モーメントが徐々に増大していく構成の請求項１記載の開閉装置において、
前記開閉部材の閉じ位置を始点として、該開閉部材の単位開き角度に対する前記ダンパ部材の揺動角度が減少するように、該ダンパ部材を前記第２の支軸と開閉部材との間に連結したことを特徴とする開閉装置。
【請求項３】
請求項１又は２記載の開閉装置において、
前記付勢手段をねじりコイルばねで構成し、該ねじりコイルばねのコイル巻部を前記第２の支軸に外嵌するとともに、コイル巻部から延出する一端部を前記本体又は第２の支軸に係止し、且つコイル巻部から延出する他端部を前記ダンパ部材に係止したことを特徴とする開閉装置。
【発明の詳細な説明】
【０００１】
【発明の属する技術分野】
本発明は、自動車のインストロメントパネルに設けられるグローブボックスやリッド等に適用される開閉装置に関し、特にピストン式エアダンパを使用して急激な開き動作を抑制した構造の開閉装置に関するものである。
【０００２】
【従来の技術】
グローブボックスやリッド等の開閉部材を備えた開閉装置においては、開閉部材の急激な開き動作を抑制するために、ダンパ部材を付設する場合がある。この種の開閉装置に使用されるダンパ部材としては、シリンダからピストンが出没する構成のピストン式エアダンパが知られており、本体と開閉部材との間にこのダンパ部材を連結し、開閉部材の開き動作に伴い引き出されるピストンの抵抗力によって、開閉部材の急激な開き動作を抑制している。
【０００３】
具体的には、本体に設けた支軸を中心として開閉部材が揺動自在となっており、ダンパ部材のシリンダを開閉装置の本体側へ揺動自在に装着する一方、ピストンの先端を開閉部材へ回動自在に連結している。開閉部材の開き動作に伴い、ピストンはシリンダから引き出されるが、その引き出し動作によりシリンダ内部が負圧状態となって抵抗力が発生する。この抵抗力が開閉部材に作用して、その急激な開き動作が抑制される。
ここで、ピストンに生じる抵抗力は、引き出し動作に伴うシリンダ内部の負圧を利用しているため、開閉部材の単位開き角度（揺動角度）に対してピストンの引出し量が多いほど、その抵抗力は大きくなる。
【０００４】
開閉部材の単位開き角度（揺動角度）に対するピストン引出し量がもっとも多くなるのは、開閉部材の揺動軌道に対してその接線方向にピストンの中心軸を配置したときである。したがって、開閉部材の開きはじめから開放端までの揺動範囲にわたり、ピストンの中心軸が開閉部材の揺動軌道に対して接線方向ないしそれに近い方向を向くようにダンパ部材を配置すれば、効率的に開閉部材の開き動作を抑制することができる。
【０００５】
【発明が解決しようとする課題】
しかしながら、開閉装置の設置スペースが充分に確保される場合はともかく、自動車のインストロメントパネル等にあってはごく限られた狭小スペースに開閉装置を設置する必要があり、このような条件下にあってはダンパ部材の配置に自由度のないことが多い。
【０００６】
例えば、グローブボックスやリッド等にあっては、縦位置から横位置へと開く構造のものが多く、このような開閉部材の揺動軌道に対してピストンの中心軸を接線方向近くに向けるには、ダンパ部材を横位置にしてインストロメントパネルの奥側へ延在して配置しなければならない。しかるに、インストロメントパネルの内部には、ダンパ部材を奥側へ延在させる奥行きはなく、ゆえに従来はダンパ部材を縦位置に配置し、開閉部材の揺動軌道に対してピストンの中心軸を法線方向近くに向けざるを得ない状況があった。
ダンパ部材をこのような配置とした場合、特に開閉部材の開きはじめにおいて、開閉部材の単位開き角度に対するピストンの引出し量が少なく、その結果、開閉部材の開き動作を抑制できず急激に同部材が開いてしまう区間が形成される不都合があった。
【０００７】
【課題を解決するための手段】
本発明は、斯かる従来装置の課題を有効に解決するために開発されたもので、請求項１記載の発明は、本体に設けた第１の支軸を中心に揺動自在な開閉部材と、本体に設けた第２の支軸を中心に揺動自在であって、前記第２の支軸と開閉部材との間に連結され、前記開閉部材の開き動作に伴いシリンダからピストンが引き出されて前記開閉部材に抵抗力を付与するダンパ部材と、を含む開閉装置において、前記ダンパ部材に対して開閉部材の開き動作に伴う揺動方向とは逆向きの抵抗モーメントを付与する付勢手段を設けたことを特徴とする。
【０００８】
また、請求項２記載の発明は、開閉部材の開き動作に応じたダンパ部材の揺動に伴い、前記付勢手段による抵抗モーメントが徐々に増大していく構成の請求項１記載の開閉装置において、前記開閉部材の閉じ位置を始点として、該開閉部材の単位開き角度に対する前記ダンパ部材の揺動角度が減少するように、該ダンパ部材を前記第２の支軸と開閉部材との間に連結したことを特徴とする。
【０００９】
請求項３記載の発明は、請求項１又は２記載の発明を前提として、前記付勢手段をねじりコイルばねで構成し、該ねじりコイルばねのコイル巻部を前記第２の支軸に外嵌するとともに、コイル巻部から延出する一端部を前記本体又は第２の支軸に係止し、且つコイル巻部から延出する他端部を前記ダンパ部材に係止したことを特徴とする。
【００１０】
依って、請求項１記載の発明にあっては、ダンパ部材に対して開閉部材の開き動作に伴う揺動方向とは逆向き、すなわち開閉部材を閉じる方向の抵抗モーメントを付与する付勢手段を設けたことから、ダンパ部材による抑止力が小さいときにも、付勢手段による抵抗モーメントをもって開閉部材の急激な開き動作を抑制することができる。しかも、ダンパ部材に閉じ方向の抵抗モーメントを作用させることから、ダンパ部材のがたつきが防止され、同時にダンパ部材を介して開閉部材も閉じ方向に付勢されるので、外部からの振動等による開閉部材のがたつきやビビリも防止される。
【００１１】
また、請求項２記載の発明にあっては、開閉部材の開き動作が進むにつれてダンパ部材の揺動角度も広がり、ダンパ部材に作用する抵抗モーメントが大きくなっていくが、これとは対称的に開閉部材の単位開き角度に対するダンパ部材の揺動角度は減少していくので、その大きな抵抗モーメントに抗してダンパ部材が僅かに揺動するだけで開閉部材の充分な開き角度を得られ、開閉部材の円滑な開き動作が確保される。
【００１２】
上記請求項２に記載したごとき抵抗モーメントを生じさせる付勢手段としては、例えば、変形量に応じて抵抗力が増大するばね部材が挙げられる。請求項３記載の発明は、付勢手段としてこの種のばね部材のうち、特にねじりコイルばねを採用し、第２の支軸にそのコイル巻部を外嵌することで、狭小な設置スペースにも対応可能なコンパクト化を実現している。
【００１３】
【発明の実施の形態】
以下、この発明の実施の形態について図面を参照して詳細に説明する。
図１は本発明の実施形態に係る開閉装置の要部であるところのダンパ部材とその付勢手段を示す分解斜視図、図２は同じく側面図である。
開閉装置は、本体１０、グローブボックス等の開閉部材２０、ダンパ部材３０、及び付勢手段としてのねじりコイルばね４０を含んでいる。本体１０は、例えば自動車のインストロメントパネルに組み込まれる枠体からなり、開閉部材２０は、この本体１０の下部に設けた第１の支軸（図１，図２には示さず）を中心として揺動自在に支持されている。
【００１４】
ダンパ部材３０は、シリンダ３１からピストン３２が出没するピストン式エアダンパを採用しており、ピストン３２の引出し動作に伴ってシリンダ３１内に負圧が発生し、この負圧をもってピストン３２に抵抗力を付与する構成となっている。この抵抗力は、ピストン３２の引出し量に応じて大きくなる。
【００１５】
シリンダ３１の基端部と先端部には、装着孔３３ａ，３４ａを各々有する取付片３３，３４が同一方向に突き出して設けてあり、基端部の取付片３３を本体１０の上部に設けた第２の支軸１２へ揺動自在に外嵌するとともに、ネジ等の締結具１３をもって抜けを防止している。一方、ピストン３２の先端部に形成した取付片３４は、開閉部材２０の側面に突出して設けた支軸２１へ回動自在に連結してある。
【００１６】
このように第２の支軸１２と開閉部材２０との間に連結されたダンパ部材３０は、開閉部材２０が閉じ位置にあるときほぼ下向きに配置され、さらに開閉部材２０の開き動作に伴い揺動したときも本体１０の前方側へピストン３２が引き出される。したがって、後方スペースを考慮することなく、インストロメントパネル等の狭小スペースに組み込むことが可能となる
【００１７】
また、第２の支軸１２には、取付片３３よりも前にねじりコイルばね４０のコイル巻部４１が外嵌してあり、さらにこのコイル巻部４１から延出する一端部４２を、第２の支軸１２に形成した係止溝１２ａに係止するとともに、コイル巻部４１から延出する他端部４３を、シリンダ３１の先端部に設けた取付片３４の装着孔３４ａに係止して、ダンパ部材３０に抵抗モーメントを与えている。この抵抗モーメントは、開閉部材２０の開き動作に伴うダンパ部材３０の揺動方向とは逆向きに作用する。したがって、静止状態においてもこの抵抗モーメントの作用によって、ダンパ部材３０はがたつきが防止され、同時にダンパ部材３０を介して開閉部材２０も閉じ方向に付勢されるので、外部からの振動等による開閉部材２０のがたつきやビビリも防止される。
【００１８】
なお、開閉部材２０は閉じ位置から図２の矢印ａで示す方向（時計方向）に開いて行くが、この開き動作に連動してダンパ部材３０は図２の矢印ｂで示す方向（反時計方向）に揺動する。この揺動に伴い、ねじりコイルばね４０のコイル巻部４１にねじれが生じるため、ダンパ部材３０に対する抵抗モーメントは徐々に増大していく。
【００１９】
上述した構成の開閉装置は、図３に示すように、開閉部材２０が第１の支軸１１を中心として閉じ位置から開き動作を開始すると、この開き動作に連動してダンパ部材３０が第２の支軸１２を中心に揺動するとともに、ピストン３２がシリンダ３１から引き出されていく。
【００２０】
図４はこのときの開閉部材２０の開き角度とダンパ部材３０の揺動角度、及びピストン３２の引出し量の関係を模式的に示した図である。既述したように、開閉部材２０が閉じ位置にあるとき、ほぼ下向きに配置されたダンパ部材３０は、開閉部材２０の揺動軌道に対してピストン３２の中心軸がほぼ法線方向に向いている（図４のＩ）。
【００２１】
この姿勢から、開閉部材２０が単位開き角度θだけ開いたときダンパ部材３０の揺動角度はω１、ピストン３２の引出し量はＬ１となる。続いて開閉部材２０が単位開き角度θだけ開いたときダンパ部材３０の揺動角度はω２、ピストン３２の引出し量はＬ２となる。さらに開閉部材２０が単位開き角度θだけ開いたときダンパ部材３０の揺動角度はω３、ピストン３２の引出し量はＬ３となる。
この過程において、開閉部材２０の揺動軌道に対してピストン３２部材の中心軸が徐々に接線方向へ向いていくため、ダンパ部材３０の揺動角度は徐々に減少し（すなわち、ω１＞ω２＞ω３）、またピストン３２の引出し量は増加していく（すなわち、Ｌ１＜Ｌ２＜Ｌ３）。
【００２２】
したがって、開閉部材２０が開き動作を開始した付近では、同部材２０の単位開き角度θに対してピストン３２の引出量Ｌ１が少ないため、ダンパ部材３０による開き動作の抑制効果は小さい。しかし、本実施形態の開閉装置では、ねじりコイルばね４０による抵抗モーメントがダンパ部材３０を介して開閉部材２０に作用しているので、開き動作の開始位置付近においても、該抵抗モーメントにより開閉部材２０の急激な開き動作が抑制される。
【００２３】
また、開閉部材２０の開放端付近においては、同部材２０の単位開き角度θに対してピストン３２の引出量Ｌ３が多くなるため、ダンパ部材３０により充分な開き動作の抑制効果を得ることができる。一方、開閉部材２０が開放端付近まで揺動したときは、ダンパ部材３０も大きく揺動しているため（ω１＋ω２＋ω３）、ねじりコイルばね４０による抵抗モーメントが増大する。しかし、この付近ではダンパ部材３０の僅かな揺動ω３に対して開閉部材２０が大きく開かれるので、ねじりコイルばね４０による抵抗モーメントの増大が、開閉部材２０の開き動作に与える影響は少ない。
【００２４】
なお、本発明は上述した実施形態に限定されるものではなく、例えば、ダンパ部材としてピストン式エアダンパを採用した場合であっても、ピストン３２を第２の支軸１２に装着するとともにシリンダ３１を開閉部材２０に連結してもよく、また必要に応じて引っ張りコイルばねやゴム等の他の付勢手段を用いることも可能である。
【００２５】
【発明の効果】
以上説明したように、本発明の開閉装置によれば、ダンパ部材に対して開閉部材の開き動作に伴う揺動方向とは逆向きの抵抗モーメントを付与する付勢手段を設けたことから、ダンパ部材による抑止力が小さいときにも、付勢手段による抵抗モーメントをもって開閉部材の急激な開き動作を抑制することができる。
【図面の簡単な説明】
【図１】本発明の実施形態に係る開閉装置の要部であるところのダンパ部材とその付勢手段を示す分解斜視図である。
【図２】同じく側面図である。
【図３】本発明の実施形態に係る開閉装置の動作を示す側面図である。
【図４】図３に示した開閉装置の動作を模式的に示す図である。
【符号の説明】
１０：本体
１１：第１の支軸
１２：第２の支軸
１２ａ：係止溝
１３：締結具
２０：開閉部材
２１：支軸
３０：ダンパ部材
３１：シリンダ
３２：ピストン
３３，３４：取付片
３３ａ，３４ａ：装着孔
４０：ねじりコイルばね
４１：コイル巻部
【図１】
0004183055.tif 000002
【図２】
0004183055.tif 000003
【図３】
0004183055.tif 000004
【図４】
0004183055.tif 000005